(57)【要約】【課題】使用者が画面遷移の操作に迷う可能性を低減する。【解決手段】調節計は、表示部１と、演算部８とを備えている。演算部８は、測定したプロセス量に基づいて制御出力値を算出する制御演算部と、表示部１を制御する表示制御部とを備えている。表示制御部は、使用者により表示項目を切り替える操作がなされたときに、表示部１に遷移マップを表示させる。遷移マップは、２次元行列状に配置された、表示項目を象徴する複数のマークと、使用者による１回の操作で遷移可能な表示項目のマーク間を接続するように配置されたラインとを有するものである。【選択図】  図１
2017091123.tif 000002
【特許請求の範囲】
【請求項１】
測定したプロセス量に基づいて制御出力値を算出する制御演算部と、
情報表示のための表示部と、
前記表示部を制御する表示制御部とを備えた調節計において、
前記表示制御部は、使用者により表示項目を切り替える操作がなされたときに、前記表示部に遷移マップを表示させるものであり、
前記遷移マップは、２次元行列状に配置された、表示項目を象徴する複数のマークと、使用者による１回の操作で遷移可能な表示項目のマーク間を接続するように配置されたラインとを有することを特徴とする調節計。
【請求項２】
請求項１に記載の調節計において、
前記表示制御部は、制御チャンネル数が複数の場合に、画面がチャンネル別に用意されている表示項目のマークを、画面がチャンネル別に用意されていない表示項目のマークと異なる形態で表示することを特徴とする調節計。
【請求項３】
請求項１または２に記載の調節計において、
前記表示制御部は、前記遷移マップが表示されている状態で、使用者により所望の表示項目のマークが選択され決定操作がなされたとき、あるいは所望の表示項目のマークが選択された時点から一定時間が経過したときに、前記表示部に表示させる画面を、前記遷移マップから、前記選択された表示項目を表示する画面へと切り替えることを特徴とする調節計。
【請求項４】
請求項１乃至３のいずれか１項に記載の調節計において、
前記表示制御部は、制御チャンネル数が複数の場合に、使用者によりチャンネルを切り替える操作がなされたときに、前記表示部に表示させる画面を、選択されたチャンネルの表示項目で、かつ現在表示中の表示項目と同種の表示項目を表示する画面へと切り替えることを特徴とする調節計。
【発明の詳細な説明】
【技術分野】
【０００１】
本発明は、プロセス量を制御する調節計に関するものである。
【背景技術】
【０００２】
温度、圧力、流量といったプロセス量を使用者が指示した設定値に制御するための装置として調節計が知られている。その調節計にはプロセス値を表示する表示器がついた指示調節計と、表示器のないモジュール型（ブラインド型）調節計がある。特許文献１に指示調節計が開示されているが、指示調節計を使用する場合、指示調節計の設定変更や、制御対象の目標値変更、表示の変更などが必要になり、それらの操作をキー入力により行う事が一般的である。
【０００３】
特許文献１に記載されているように、調節計の設定項目は、その機能の拡充や多入力化により多数にわたっており、それらの設定項目を順に並べるだけでは操作性が著しく悪くなるため、設定内容、使用頻度等により使いやすいレベルまでグルーピングされた階層構造のメニュー構成となっている。従来の表示画面遷移例を図８（Ａ）〜図８（Ｆ）に示し、メニュー構成を図９に示す。
【０００４】
図８（Ａ）〜図８（Ｆ）の例では、最初にチャンネル１の制御量ＰＶ１と操作量ＭＶ１とが調節計の表示器に表示されており（図８（Ａ））、画面の切替操作（例えば表示器キーの押下）が行われると、図８（Ｂ）に示すようにチャンネル２の制御量ＰＶ２と操作量ＭＶ２とを表示する画面に切り替わり、再び画面の切替操作が行われると、図８（Ｃ）に示すようにチャンネル１の制御量ＰＶ１と設定値ＳＰ１と操作量ＭＶ１とを表示する画面に切り替わり、再び画面の切替操作が行われると、図８（Ｄ）に示すようにチャンネル２の制御量ＰＶ２と設定値ＳＰ２と操作量ＭＶ２とを表示する画面に切り替わる。さらに、画面の切替操作が行われると、図８（Ｅ）に示すようにチャンネル１の制御量ＰＶ１と電流ＣＴ１とを表示する画面に切り替わり、再び画面の切替操作が行われると、図８（Ｆ）に示すようにチャンネル２の制御量ＰＶ２と電流ＣＴ２とを表示する画面に切り替わり、再び画面の切替操作が行われると、図８（Ａ）の画面に戻るようになっている。
【０００５】
図９において、「ｉｎｐｕｔ」はプロセス入力についての設定項目を示し、「ｏｕｔｐｕｔ」は制御出力についての設定項目を示し、「ＣＯＭＭ」は調節計外部との通信についての設定項目を示し、「Ｄｉｓｐｌａｙ」は表示のための設定項目を示している。制御出力についての設定項目としては、電流出力についての設定項目である「Ｃｕｒｒｅｎｔ」と、電圧出力についての設定項目である「Ｖｏｌｔａｇｅ」と、イベント出力についての設定項目である「Ｅｖｅｎｔ」とがある。
【０００６】
電流出力の詳細な設定項目としては、チャンネル１〜４の電流出力についての設定項目である「Ｃ０１」〜「Ｃ０４」がある。電圧出力の詳細な設定項目としては、チャンネル１〜５の電圧出力についての設定項目である「Ｖ０１」〜「Ｖ０５」がある。イベント出力の詳細な設定項目としては、チャンネル１〜３のイベントの種類を設定するための「Ｅｖｅｎｔ１」〜「Ｅｖｅｎｔ３」と、チャンネル１〜３のイベント出力の遅延時間を設定するための「Ｄｅｌａｙ１」〜「Ｄｅｌａｙ３」と、チャンネル１〜３のイベント出力の閾値を設定するための「Ｌｅｖｅｌ１」〜「Ｌｅｖｅｌ３」とがある。このように、調節計の設定項目は複雑な階層構造になっており、目的の設定項目の画面に切り替えるためには、図９に示した階層構造を辿っていくように画面を切り替える複雑な画面遷移の操作が必要であった。
【先行技術文献】
【特許文献】
【０００７】
【特許文献１】特開２００９−２４５１７４号公報
【発明の概要】
【発明が解決しようとする課題】
【０００８】
多くの使用者は調節計を操作することは稀であり、その操作に慣れていない。また、必要な時に調節計の取扱説明書が手元にない状態も考えられる。そういった状況において、調節計の設定に複雑な画面遷移の操作が必要になることは、使用者にとって煩わしい作業となる。
【０００９】
調節計の画面遷移を単純化するには、設定項目を減らす、表示画面の種類を減らす等、画面構成を単純化する手段も考えられるが、調節計の機能拡充、多入力化といった背景から、単純化には限度がある。調節計には、サイズの制限があり、表示器を大きくするとキーを配置できるエリアが小さくなり、キーの数が少なくなってしまうので、表示器を大きくして表示画面の種類を減らすことも難しい。ある程度、画面構成が複雑なことを前提とした場合、使用者が迷わずに画面遷移を行うには、画面遷移の構成を使用者が簡単に認識できる機能が必要である。しかしながら、このような機能は従来実現されていなかった。
【００１０】
本発明は、上記課題を解決するためになされたもので、使用者が画面遷移の操作に迷う可能性を低減することができる調節計を提供することを目的とする。
【課題を解決するための手段】
【００１１】
本発明は、測定したプロセス量に基づいて制御出力値を算出する制御演算部と、情報表示のための表示部と、前記表示部を制御する表示制御部とを備えた調節計において、前記表示制御部は、使用者により表示項目を切り替える操作がなされたときに、前記表示部に遷移マップを表示させるものであり、前記遷移マップは、２次元行列状に配置された、表示項目を象徴する複数のマークと、使用者による１回の操作で遷移可能な表示項目のマーク間を接続するように配置されたラインとを有することを特徴とするものである。
また、本発明の調節計の１構成例において、前記表示制御部は、制御チャンネル数が複数の場合に、画面がチャンネル別に用意されている表示項目のマークを、画面がチャンネル別に用意されていない表示項目のマークと異なる形態で表示することを特徴とするものである。
【００１２】
また、本発明の調節計の１構成例において、前記表示制御部は、前記遷移マップが表示されている状態で、使用者により所望の表示項目のマークが選択され決定操作がなされたとき、あるいは所望の表示項目のマークが選択された時点から一定時間が経過したときに、前記表示部に表示させる画面を、前記遷移マップから、前記選択された表示項目を表示する画面へと切り替えることを特徴とするものである。
また、本発明の調節計の１構成例において、前記表示制御部は、制御チャンネル数が複数の場合に、使用者によりチャンネルを切り替える操作がなされたときに、前記表示部に表示させる画面を、選択されたチャンネルの表示項目で、かつ現在表示中の表示項目と同種の表示項目を表示する画面へと切り替えることを特徴とするものである。
【発明の効果】
【００１３】
本発明によれば、使用者により表示項目を切り替える操作がなされたときに、表示部に遷移マップを表示させることにより、使用者は調節計の取扱説明書に頼ること無く、画面遷移の構成を容易に認識することができる。その結果、画面構成が複雑であっても、使用者が操作に迷う可能性を低減することができ、使用者にとっての利便性を向上させることができる。
【００１４】
また、本発明では、画面がチャンネル別に用意されている表示項目のマークを、画面がチャンネル別に用意されていない表示項目のマークと異なる形態で表示することにより、遷移マップを縮小することができ、チャンネル数が多チャンネルに増えても、遷移マップが大きくなり分かり難くなったり、全てのマークを１画面に表示できなくなったりする事態を防ぐことができる。
【図面の簡単な説明】
【００１５】
【図１】本発明の第１の実施の形態に係る調節計の構成を示すブロック図である。
【図２】本発明の第１の実施の形態に係る調節計の演算部の機能ブロック図である。
【図３】本発明の第１の実施の形態に係る調節計の画面表示とキー配置の例を示す図である。
【図４】本発明の第１の実施の形態に係る調節計の表示画面変更時の動作を説明するフローチャートである。
【図５】本発明の第１の実施の形態に係る遷移マップを説明する図である。
【図６】本発明の第１の実施の形態に係る調節計の表示画面変更時の他の動作を説明するフローチャートである。
【図７】本発明の第２の実施の形態に係る遷移マップを説明する図である。
【図８】従来の調節計の表示画面遷移例を示す図である。
【図９】従来の調節計の表示のメニュー構成を示す図である。
【発明を実施するための形態】
【００１６】
［発明の原理１］
発明者は、調節計の各画面の表示内容を簡易化し実際の操作手順に則ったマップ上に表示項目を象徴するマークを並べるようにすれば、使用者は調節計の取扱説明書に頼ること無く、画面遷移の構成を認識できることに想到した。
【００１７】
［発明の原理２］
また、発明者は、多入力化により、同じ項目を複数チャンネル分表示する画面がある場合、同種の項目ごとにまとめて表示することでマップを縮小すれば、画面遷移の構成を認識し易くなることに想到した。
【００１８】
［第１の実施の形態］
以下、本発明の実施の形態について図面を参照して詳細に説明する。図１は本発明の第１の実施の形態に係る調節計の構成を示すブロック図である。本実施の形態は、上記発明の原理１に対応する例である。調節計は、ドットマトリクス液晶パネル等の表示デバイスからなる表示部１と、タクトスイッチ、静電スイッチ等の入力デバイスからなるキー入力部２と、表示画面データ等を記憶するメモリからなる記憶部３と、センサー等からの温度、圧力、流量などのプロセス量の測定値のアナログ入力処理を行うアナログ入力部４と、電流出力、電圧出力などの制御出力を行うアナログ出力部５と、調節計の機能設定のためのデジタル信号入力処理を行うデジタル入力部６と、状態情報出力や警報出力のためのデジタル信号出力処理を行うデジタル出力部７と、測定値と設定値ＳＰとが一致するように制御出力値を算出する制御演算処理、および調節計全体の制御を行う演算部８とから構成される。
【００１９】
図２は演算部８の構成を示すブロック図である。演算部８は、プロセス量の測定値（制御量ＰＶ）と設定値ＳＰとが一致するように制御出力値（操作量ＭＶ、電流値、電圧値等）を算出する制御演算部８０と、表示部１を制御する表示制御部８１とを備えている。周知のとおり、制御演算部８０の制御アルゴリズムとしては例えばＰＩＤがある。
【００２０】
本実施の形態では、制御チャンネル数が２チャンネルの例で説明する。すなわち、本実施の形態の調節計は、１台で２台分の機能を持ち、最大で２チャンネルの独立した制御が可能である。
【００２１】
図３（Ａ）〜図３（Ｅ）は本実施の形態の調節計における画面表示とキー配置の例を示す図である。図３（Ａ）は調節計の表示部１にチャンネル１の測定値（制御量ＰＶ１）と制御出力値（操作量ＭＶ１）とを数値表示させた例、図３（Ｂ）は表示部１にチャンネル１の測定値（制御量ＰＶ１）と制御出力値（操作量ＭＶ１）と設定値ＳＰ１とを数値表示させた例、図３（Ｃ）は表示部１にチャンネル１の測定値（制御量ＰＶ１）と測定値（ヒータ電流値ＣＴ１）と制御出力値（操作量ＭＶ１）とを数値表示させた例、図３（Ｄ）は表示部１にチャンネル１の測定値（制御量ＰＶ１）とチャンネル２の測定値（制御量ＰＶ２）とを数値表示させた例、図３（Ｅ）は表示部１にチャンネル１の測定値（制御量ＰＶ１）と制御出力値（操作量ＭＶ１）と設定値ＳＰ１とをグラフ表示させた例を示している。なお、ヒータ電流とは、例えば制御対象のヒータに流れる電流のことである。ヒータ電流はカレントトランスをセンサーとして用いて測定される。
【００２２】
図３（Ａ）〜図３（Ｅ）の例では、キー入力部２の操作キーとして、調節計の機能や数値の設定のための設定キー２ａと、画面を切り替えるための表示キー２ｂと、チャンネル番号が大きい方のチャンネルに移るためのＣＨ＋キー２ｃと、チャンネル番号が小さい方のチャンネルに移るためのＣＨ−キー２ｄと、操作を確定するための決定キー２ｅとを備えている。
【００２３】
次に、本実施の形態における表示画面変更時の動作について説明する。図４は調節計の表示画面変更時の動作を説明するフローチャートである。ここでは、調節計の表示部１に図３（Ａ）に示した画面が表示されているものとする。使用者は、表示項目を切り替えるために、表示キー２ｂを押す。表示制御部８１は、表示キー２ｂが押下されると（図４ステップＳ１００においてＹＥＳ）、表示部１に表示させる画面を、図３（Ａ）に示した画面から図５に示すような遷移マップへと切り替えさせる（図４ステップＳ１０１）。
【００２４】
遷移マップは、２次元行列状に配置された、表示項目を象徴するマーク１０ａ〜１０ｉと、１回のキー操作で遷移可能な表示項目のマーク間を接続するように配置された線状のライン１１とを有する図である。
【００２５】
遷移マップの表示中は、図３（Ａ）〜図３（Ｅ）に示したような項目表示中のときと操作キーの機能が変わる。つまり、設定キー２ａは、選択中のマークの上方に配置されているマークが示す表示項目に切り替える移るための上矢印（↑）キーとして機能する。表示キー２ｂは、選択中のマークの下方に配置されているマークが示す表示項目に切り替えるための下矢印（↓）キーとして機能する。ＣＨ＋キー２ｃは、選択中のマークの左方に配置されているマークが示す表示項目に切り替えるための左矢印（←）キーとして機能する。ＣＨ−キー２ｄは、選択中のマークの右方に配置されているマークが示す表示項目に切り替えるための右矢印（→）キーとして機能する。
【００２６】
図５の例では、表示項目がチャンネル１の制御量ＰＶ１と操作量ＭＶ１であることを示すマーク１０ａと、表示項目がチャンネル１の制御量ＰＶ１と操作量ＭＶ１と設定値ＳＰ１であることを示すマーク１０ｂと、表示項目がチャンネル１の制御量ＰＶ１とヒータ電流値ＣＴ１と操作量ＭＶ１であることを示すマーク１０ｃと、表示項目がチャンネル２の制御量ＰＶ２と操作量ＭＶ２であることを示すマーク１０ｄと、表示項目がチャンネル２の制御量ＰＶ２と操作量ＭＶ２と設定値ＳＰ２であることを示すマーク１０ｅと、表示項目がチャンネル２の制御量ＰＶ２とヒータ電流値ＣＴ２と操作量ＭＶ２であることを示すマーク１０ｆと、表示項目がチャンネル１の制御量ＰＶ１とチャンネル２の制御量ＰＶ２であることを示すマーク１０ｇと、チャンネル１の制御量ＰＶ１と操作量ＭＶ１と設定値ＳＰ１とをグラフ表示することを示すマーク１０ｈと、チャンネル２の制御量ＰＶ２と操作量ＭＶ２と設定値ＳＰ２とをグラフ表示することを示すマーク１０ｉとが、２次元行列状に配置されている。
【００２７】
図５の例では、現在選択中の表示項目（図３（Ａ））を象徴するマーク１０ａが、選択されていない他のマーク１０ｂ〜１０ｉの色（例えば灰色）と異なる色（例えば水色）で表示されており、選択中の表示項目を認識できるようになっている。
マーク１０ａはマーク１０ｂ，１０ｄとライン１１で接続されているので、１回のキー操作でこれらのマーク１０ｂ，１０ｄが示す表示項目に切り替え可能なことが分かる。同様に、マーク１０ｂは、マーク１０ａ，１０ｃ，１０ｅとライン１１で接続され、マーク１０ｃは、マーク１０ｂ，１０ｆとライン１１で接続され、マーク１０ｄは、マーク１０ａ，１０ｅ，１０ｇとライン１１で接続され、マーク１０ｅは、マーク１０ｂ，１０ｄ，１０ｆ，１０ｈとライン１１で接続され、マーク１０ｆは、マーク１０ｃ，１０ｅ，１０ｉとライン１１で接続され、マーク１０ｇは、マーク１０ｄ，１０ｈとライン１１で接続され、マーク１０ｈは、マーク１０ｅ，１０ｇ，１０ｉとライン１１で接続され、マーク１０ｉは、マーク１０ｆ，１０ｈとライン１１で接続されている。
【００２８】
使用者は、遷移マップが表示されている状態で、上矢印（↑）キー２ａ、下矢印（↓）キー２ｂ、左矢印（←）キー２ｃ、あるいは右矢印（→）キー２ｄを操作して、所望の表示項目への切り替えを行う（図４ステップＳ１０２）。
表示制御部８１は、上矢印（↑）キー２ａ、下矢印（↓）キー２ｂ、左矢印（←）キー２ｃ、右矢印（→）キー２ｄのいずれかが押下される度に、その操作に応じた遷移マップの更新を行う（図４ステップＳ１０３）。
【００２９】
表示制御部８１は、例えば右矢印（→）キー２ｄが１回押下されると、マーク１０ａに代わってマーク１０ｂが選択されたことになるので、マーク１０ａ，１０ｃ〜１０ｉを灰色表示し、マーク１０ｂを水色表示する遷移マップに更新する。また、表示制御部８１は、例えば下矢印（↓）キー２ｂが１回押下されると、マーク１０ａに代わってマーク１０ｄが選択されたことになるので、マーク１０ａ〜１０ｃ，１０ｅ〜１０ｉを灰色表示し、マーク１０ｄを水色表示する遷移マップに更新する。こうして、表示項目の切り替えが可能になる。
【００３０】
例えばチャンネル１の制御量ＰＶ１と操作量ＭＶ１と設定値ＳＰ１とをグラフ表示したい場合、マーク１０ｈを選択すればよい。したがって、使用者は、右矢印（→）キー２ｄを押下し（マーク１０ｂを選択）、次に下矢印（↓）キー２ｂを押下し（マーク１０ｅを選択）、最後に下矢印（↓）キー２ｂを再度押下する（マーク１０ｈを選択）、という操作手順でマーク１０ｈを選択すればよい。あるいは、下矢印（↓）キー２ｂを押下し（マーク１０ｄを選択）、下矢印（↓）キー２ｂを再度押下し（マーク１０ｇを選択）、最後に右矢印（→）キー２ｄを押下する（マーク１０ｈを選択）、という手順でもよいことは言うまでもない。
【００３１】
使用者は、所望の表示項目のマークを選択した後に、決定キー２ｅを押す。表示制御部８１は、決定キー２ｅが押下されると（図４ステップＳ１０４においてＹＥＳ）、表示部１に表示させる画面を、遷移マップから、現在選択中の表示項目を表示する画面へと切り替えさせる（図４ステップＳ１０５）。上記のように、マーク１０ｈが選択された場合には、図３（Ｅ）の画面が表示されることになる。また、マーク１０ｉが選択されたとすれば、図３（Ｅ）の代わりに、チャンネル２の制御量ＰＶ２と操作量ＭＶ２と設定値ＳＰ２とがグラフ表示されることになる。
【００３２】
使用者は、所望の表示項目のマークを選択した後に何もしなくてもよい。表示制御部８１は、直前のキー操作から一定時間が経過すると（図４ステップＳ１０６においてＹＥＳ）、現在選択中の表示項目を表示部１に表示させる（ステップＳ１０５）。
【００３３】
表示キー２ｂの押下後に、他のキーが押下されることなく、一定時間が経過した場合には、遷移マップが表示される前に表示されていた画面に戻る（ステップＳ１０５）。例えば図３（Ａ）に示した画面が表示されている状態で、表示キー２ｂが押下され、遷移マップが表示されたときに、他のキーが押下されることなく、一定時間が経過すれば、現在選択中の表示項目のマークは１０ａであるから、図３（Ａ）の画面に戻る。
【００３４】
なお、チャンネル間の画面切り替えは遷移マップを経ることなく実現できる。この動作を図６を用いて説明する。上記と同様に、調節計の表示部１に図３（Ａ）に示した画面が表示されているものとする。
【００３５】
使用者は、表示したいチャンネルを切り替えるために、ＣＨ＋キー２ｃまたはＣＨ−キー２ｄを押す。ここでは、チャンネル１からチャンネル２に切り替えるために、ＣＨ＋キー２ｃを押せばよい。表示制御部８１は、ＣＨ＋キー２ｃまたはＣＨ−キー２ｄが押下されると、表示部１に表示させる画面を、ＣＨ＋キー２ｃまたはＣＨ−キー２ｄで選択されたチャンネルの表示項目で、かつ現在表示中の表示項目と同種の表示項目を表示する画面へと切り替えさせる（図６ステップＳ２０２）。
【００３６】
例えば図３（Ａ）に示した画面が表示されている状態で、ＣＨ＋キー２ｃが押下されると、チャンネル２の制御量ＰＶ２と操作量ＭＶ２とを数値表示する画面に切り替わる。図３（Ｂ）に示した画面が表示されている状態で、ＣＨ＋キー２ｃが押下されると、チャンネル２の制御量ＰＶ２と操作量ＭＶ２と設定値ＳＰ２とを数値表示する画面に切り替わる。図３（Ｃ）に示した画面が表示されている状態で、ＣＨ＋キー２ｃが押下されると、チャンネル２の制御量ＰＶ１とヒータ電流値ＣＴ２と操作量ＭＶ２とを数値表示する画面に切り替わる。図３（Ｅ）に示した画面が表示されている状態で、ＣＨ＋キー２ｃが押下されると、チャンネル２の制御量ＰＶ２と操作量ＭＶ２と設定値ＳＰ２とをグラフ表示する画面に切り替わる。
【００３７】
以上のように、本実施の形態では、使用者により表示項目を切り替える操作がなされたときに、表示部１に遷移マップを表示させることにより、使用者は調節計の取扱説明書に頼ること無く、画面遷移の構成を容易に認識することができる。その結果、調節計の多機能化により画面構成が複雑であっても、使用者が操作に迷う可能性を低減することができ、使用者にとっての利便性を向上させることができる。
【００３８】
［第２の実施の形態］
次に、本発明の第２の実施の形態について説明する。本実施の形態においても、調節計の構成および処理の流れは第１の実施の形態と同様であるので、図１、図４、図６の符号を用いて説明する。本実施の形態は、上記発明の原理２に対応する例である。
【００３９】
例えば図３（Ａ）に示した画面が表示されている状態で、使用者が、表示項目を切り替えるために表示キー２ｂを押したときの動作は第１の実施の形態と同様である。
表示制御部８１は、表示キー２ｂが押下されると（図４ステップＳ１００においてＹＥＳ）、表示部１に表示させる画面を、図７に示すような遷移マップへと切り替えさせる（図４ステップＳ１０１）。
【００４０】
遷移マップは、第１の実施の形態と同様に、２次元行列状に配置された、表示項目を象徴するマーク１２ａ〜１２ｅと、１回のキー操作で遷移可能な表示項目のマーク間を接続するように配置されたライン１３とを有する図である。第１の実施の形態と異なる点は、制御チャンネル数が複数の場合に、画面がチャンネル別に用意されている表示項目のマークについては、画面がチャンネル別に用意されていない表示項目のマークと異なる形態で描画するようにしていることである。
【００４１】
第１の実施の形態と同様に、制御チャンネル数が２チャンネルの場合、表示項目が制御量ＰＶと操作量ＭＶである画面、表示項目が制御量ＰＶと操作量ＭＶと設定値ＳＰである画面、表示項目が制御量ＰＶとヒータ電流値ＣＴと操作量ＭＶである画面、制御量ＰＶと操作量ＭＶと設定値ＳＰとをグラフ表示する画面については、それぞれ２チャンネル分用意されている。
【００４２】
したがって、表示項目が制御量ＰＶと操作量ＭＶであることを示すマーク１２ａ、表示項目が制御量ＰＶと操作量ＭＶと設定値ＳＰであることを示すマーク１２ｂ、表示項目が制御量ＰＶとヒータ電流値ＣＴと操作量ＭＶであることを示すマーク１２ｃ、制御量ＰＶと操作量ＭＶと設定値ＳＰとをグラフ表示することを示すマーク１２ｅについては、それぞれ複数のマークを重ねた形態となっている。このようなマーク表示により、使用者は、表示項目が同種の画面がチャンネル別に用意されていることを認識できる。画面が複数チャンネル分あることを使用者が認識できればよいので、重ねるマークの枚数は、チャンネル数と同じ枚数でもよいし、チャンネル数より少ない枚数でもよい。
【００４３】
一方、表示項目がチャンネル１の制御量ＰＶ１とチャンネル２の制御量ＰＶ２である画面については１画面で済むので、表示項目が２つの制御量ＰＶ（ＰＶ１とＰＶ２）であることを示すマーク１２ｄについては、単数のマーク表示となっている。
第１の実施の形態と同様に、現在選択中の表示項目（図３（Ａ））を象徴するマーク１２ａは、選択されていない他のマーク１２ｂ〜１２ｅの色（例えば灰色）と異なる色（例えば水色）で表示される。
【００４４】
第１の実施の形態と同様に、表示制御部８１は、遷移マップが表示されている状態で、上矢印（↑）キー２ａ、下矢印（↓）キー２ｂ、左矢印（←）キー２ｃ、右矢印（→）キー２ｄのいずれかが押下される度に、その操作に応じた遷移マップの更新を行う（図４ステップＳ１０３）。
【００４５】
例えばチャンネル１の制御量ＰＶ１と操作量ＭＶ１と設定値ＳＰ１とをグラフ表示したい場合、マーク１２ｅを選択すればよい。したがって、使用者は、右矢印（→）キー２ｄを押下し（マーク１２ｂを選択）、次に下矢印（↓）キー２ｂを押下する（マーク１２ｅを選択）、という操作手順でマーク１２ｅを選択すればよい。あるいは、下矢印（↓）キー２ｂを押下し（マーク１２ｄを選択）、次に右矢印（→）キー２ｄを押下する（マーク１２ｅを選択）、という手順でもよいことは言うまでもない。
【００４６】
使用者は、所望の表示項目のマークを選択した後に、決定キー２ｅを押す。表示制御部８１は、決定キー２ｅが押下されると（図４ステップＳ１０４においてＹＥＳ）、表示部１に表示させる画面を、遷移マップから、現在選択中の表示項目を表示する画面へと切り替えさせる（図４ステップＳ１０５）。上記のように、マーク１２ｅが選択された場合には、図３（Ｅ）の画面が表示される。第１の実施の形態で説明したとおり、使用者は、所望の表示項目のマークを選択した後に何もしなくてもよい。
【００４７】
また、上矢印（↑）キー２ａ、下矢印（↓）キー２ｂ、左矢印（←）キー２ｃ、右矢印（→）キー２ｄによる選択操作は、現在選択中の表示項目を別種の表示項目へと切り替えるための操作であるが、これらのキーによる操作ではチャンネルが変わることはない。表示したいチャンネルを切り替えるためには、ＣＨ＋キー２ｃまたはＣＨ−キー２ｄを押せばよい。このときの動作は図６で説明したとおりである。
【００４８】
制御チャンネル数が増えると、チャンネル数が増えた分だけ、画面遷移が複雑になることを考慮する必要がある。本実施の形態では、画面がチャンネル別に用意されている表示項目のマークを、画面がチャンネル別に用意されていない表示項目のマークと異なる形態とし、画面がチャンネル別に用意されている表示項目のマークについては、同種の項目ごとにマークを纏めて表示することにより、遷移マップを縮小することができ、仮にチャンネル数が４チャンネルに増えても、遷移マップが大きくなり分かり難くなったり、全てのマークを１画面に表示できなくなったりする事態を防ぐことができる。
【００４９】
第１、第２の実施の形態で説明した調節計は、ＣＰＵ（Central Processing Unit）、記憶装置及びインタフェースを備えたコンピュータと、これらのハードウェア資源を制御するプログラムによって実現することができる。ＣＰＵは、記憶装置に格納されたプログラムに従って第１、第２の実施の形態で説明した処理を実行する。
【産業上の利用可能性】
【００５０】
本発明は、調節計の情報表示技術に適用することができる。
【符号の説明】
【００５１】
１…表示部、２…キー入力部、３…記憶部、４…アナログ入力部、５…アナログ出力部、６…デジタル入力部、７…デジタル出力部、８…演算部、１０，１２…マーク、１１，１３…ライン、８０…制御演算部、８１…表示制御部。
【図１】
2017091123.tif 000003
【図２】
2017091123.tif 000004
【図３】
2017091123.tif 000005
【図４】
2017091123.tif 000006
【図５】
2017091123.tif 000007
【図６】
2017091123.tif 000008
【図７】
2017091123.tif 000009
【図８】
2017091123.tif 000010
【図９】
2017091123.tif 000011